(57)【特許請求の範囲】
【請求項１】
コンセントボックスの開口縁に設けられた配線器具取付け用の爪が、開口縁よりボックスの奥内部に設けられた金属製線樋装着タイプのコンセントボックスに装着する合成樹脂製のスペーサーであって、前記爪の周囲を被覆する略ボックス状を成し、爪の開口縁側の側面に厚みを有する間隔調整部と、コンセントボックス内部側の側面に厚みを有するボルト被覆部を設け、前記間隔調整部と前記ボルト被覆部との間に、前記爪を差し込み固定する挟着溝を設けると共に、前記爪の一部又は全部を被覆するように形成され、前記間隔調整部は、爪と配線器具との間に介してフラッシプレートを装着できる厚さに設けられたことを特徴とするコンセントボックス用スペーサー。
【請求項２】
前記スペーサーは、前記爪の一部又は全部を被覆するように形成され、配線器具取付け用のボルトを挿通する挿通口を設けた請求項１記載のコンセントボックス用スペーサー。
【請求項３】
前記スペーサーは、前記爪の全部を被覆するように形成され、配線器具取付け用のボルトと、フラッシプレート取付け用のボルトとを挿通する挿通口を設けた請求項１記載のコンセントボックス用スペーサー。
【発明の詳細な説明】
【０００１】
【発明の属する技術分野】
本発明は、金属製線樋、金属ダクト等の開口部を利用するコンセントボックスに、JIS規格のフラッシプレートを装着する際に使用するコンセントボックス用スペーサーに関する。
【０００２】
【従来の技術】
従来、金属製線樋Ｔや金属ダクト等の開口部を利用するコンセントボックスＰが使用されている（図６参照）。この種のコンセントボックスＰは、金属製線樋Ｔ等を利用するために、専用の平型形状のコンセントプレートＳを装着している。このコンセントプレートＳをコンセントボックスＰに装着するには、コンセントボックスＰの開口部に予め設けられている装着用の爪Ｐ２にねじ止めすることになるが、金属製線樋Ｔ等を利用するコンセントボックスＰの爪Ｐ２は、開口縁Ｐ１よりボックス内部に下がった位置に設けられている。この位置に爪Ｐ２を設けることで、専用の平型形状のコンセントプレートＳを確実に固定でき、また、この爪Ｐ２にボルトをネジ止め固定したときに、開口縁Ｐ１に近い爪Ｐ２よりも、爪Ｐ２から突出するボルト先端の長さが短くなるのでコンセントボックス内の電線類を傷付け難くすることができる利点があった。
【０００３】
一方、コンセントやスイッチ等の配線器具を、中空壁に取付ける際に使用する配線器具用取り付けボックスが、特開平8-275336号公報に記載されている。この取り付けボックスによると、ボックスの開口縁内側に取付片（爪）を設けると共に、開口縁外側に当接片を設けたものである。
【０００４】
【発明が解決しようとする課題】
ところが、前者の金属製線樋等の開口部に装着するコンセントボックスは、専用のコンセントプレートを装着するように設けられていて、しかも配線器具Ｑのねじ部Ｑ２とコンセントプレートとの間隔をほぼ一定に保つ必要があることから、凸形状で高さのあるJIS規格のフラッシプレートを装着しようとすると、フラッシプレートの付属ビスが爪に届かず取り付けることができなかった。また他のビスを使用してフラッシプレートを取り付けても、フラッシプレートから配線器具が沈んでしまい隙間が生じてしまう不都合もある。このため、従来では、爪とフラッシプレートの間に嵩上げする目的で平座金等を介して隙間が生じないようにして装着していたが、高所での作業になるため、小さな平座金を用いる作業は極めて困難な作業になっていた。
【０００５】
一方、後者の取付ボックスでは、中空壁に当接せしめる当接片と長い取付用ねじとを使用して配線器具を装着するため、JIS規格のフラッシプレートを装着することが可能であっても、取付ボックスの内部に引き込んだ電線類を、この取付用ねじの先端で傷付ける虞があった。
【０００６】
そこで、本発明は、上述の課題を解消すべく創出されたもので、金属製線樋等の開口部に装着するコンセントボックスに、JIS規格のフラッシプレートを簡単に装着することが可能になり、しかも、内部の電線を傷付けずに済むコンセントボックス用スペーサーの提供を目的とするものである。
【０００７】
【課題を解決するための手段】
上述の目的を達成すべく本発明の第１の手段は、コンセントボックスＰの開口縁Ｐ１に設けられた配線器具Ｑ取付け用の爪Ｐ２が、開口縁Ｐ１よりボックスＰの奥内部に設けられた金属製線樋Ｔ装着タイプのコンセントボックスＰに装着する合成樹脂製のスペーサーであって、前記爪Ｐ２の周囲を被覆する略ボックス状を成し、爪Ｐ２の開口縁Ｐ１側の側面に厚みを有する間隔調整部２と、コンセントボックスＰ内部側の側面に厚みを有するボルト被覆部３を設け、前記間隔調整部２と前記ボルト被覆部３との間に、前記爪Ｐ２を差し込み固定する挟着溝４を設けると共に、前記爪Ｐ１の一部又は全部を被覆するように形成され、前記間隔調整部２は、爪Ｐ２と配線器具Ｑとの間に介してフラッシプレートＲを装着できる厚さに設けられたことを特徴とするコンセントボックス用スペーサー。
【０００８】
第２の手段における前記スペーサーは、前記爪の一部又は全部を被覆するように形成され、配線器具取付け用のボルトを挿通する挿通口を設けている。
【０００９】
第３の手段の前記スペーサーは、前記爪の全部を被覆するように形成され、配線器具取付け用のボルトと、フラッシプレート取付け用のボルトとを挿通する挿通口を設けたたことを課題解消のための手段とするものである。
【００１０】
【発明の実施の形態】
以下、図面を参照して、本発明の実施例を詳細に説明する。
【００１１】
本発明スペーサー１は、主に金属製線樋Ｔや金属ダクト等の開口等に装着されるタイプのコンセントボックスＰに装着する。このタイプのコンセントボックスＰは、開口縁Ｐ１に設けられた配線器具Ｑ取付け用の爪Ｐ２が、開口縁Ｐ１よりボックスＰの奥内部に設けられている（図１参照）。
【００１２】
図示のスペーサー１は、爪Ｐ２の周囲を被覆する略ボックス状を成している（図１参照）。そして、爪Ｐ２の側面において開口縁Ｐ１側の側面に厚みを有する間隔調整部２と、ボックスＰ内部側の側面に厚みを有するボルト被覆部３とを設けてある（図３乃至図５参照）。間隔調整部２は、爪Ｐ２と配線器具Ｑとの間、又は爪Ｐ２とフラッシプレートＲとの間に介することで、金属製線樋Ｔ装着タイプのコンセントボックスＰに、JIS規格のフラッシプレートＲを装着できるようにしている（図２参照）。
【００１３】
スペーサー１は、合成樹脂で形成する。更に、間隔調整部２と前記ボルト被覆部３との間に、前記爪Ｐ２を差し込み固定する挟着溝４を設けて嵌合自在に形成している。これにより、爪Ｐ２を挟着溝４に挿入するだけでスペーサー１を固定することができる（図３乃至図５参照）。
【００１４】
図３、図５に示すスペーサー１は、爪Ｐ２の一部を被覆するように形成している。図３のスペーサー１は、爪Ｐ２の先端部に装着し、配線器具Ｑ取付け用のボルトＱ１を挿通する挿通口５を設けてある。このスペーサー１によると、配線器具Ｑ用のボルトＱ１を被覆するように使用する（同図（ロ）参照）。図示例の挿通口５は、前記挟着溝４に直交する切り欠き状に形成している。この結果、挟着溝４が挿通口５に沿って左右に拡開自在となり、スペーサー１を爪Ｐ２に装着する際の作業性を良好にすることができる。
【００１５】
また、図５に示すスペーサー１は、爪Ｐ２の基端部に装着し、フラッシプレートＲを取り付けるボルトＲ１を挿通する挿通口６を設けてある。このスペーサー１によると、フラッシプレートＲ用のボルトＲ１を被覆するように使用する（同図（ロ）参照）。
【００１６】
図４に示すスペーサー１は、前記爪Ｐ２の全部を被覆するように形成している。そして、配線器具Ｑ取付け用のボルトＱ１と、フラッシプレートＲ取付け用のボルトＲ１とを挿通する挿通口５，６を設け、これらのボルトＱ１，Ｒ１を被覆することができる（同図（ロ）参照）。
【００１７】
【発明の効果】
本発明は、上述の如く構成したことにより、当初の目的を達成する。
【００１８】
すなわち、爪Ｐ２の周囲を被覆する略ボックス状を成し、爪Ｐ２の側面において開口縁Ｐ１側の側面に厚みを有する間隔調整部２を設け、該間隔調整部２を、爪Ｐ２と配線器具Ｑとの間に介してフラッシプレートＲを装着できる厚さに設けけたことにより、金属製線樋等の開口部に装着するタイプのコンセントボックスでも、JIS規格のフラッシプレートを簡単に装着することが可能になり、しかも、内部の電線を傷付けずに済むものである。
【００１９】
また、合成樹脂製のスペーサー１の前記間隔調整部２と前記ボルト被覆部３との間に、前記爪Ｐ２を差し込み固定する挟着溝４を設けているから、コンセントボックスＰの爪Ｐ２に対してスペーサー１を極めて容易に装着することができる。
【００２０】
更に、前記爪Ｐ２の一部又は全部を被覆するようにスペーサー１を形成し、配線器具Ｑ取付け用のボルトＱ１を挿通する挿通口５を設けたことにより、スペーサー１を介しても配線器具Ｑの装着を容易に行うことができる。
【００２１】
そして、前記爪Ｐ２の全部を被覆するようにスペーサー１を形成し、配線器具Ｑ取付け用のボルトＱ１と、フラッシプレートＲ取付け用のボルトＲ１とを挿通する挿通口５，６を設けたことにより、各ボルトＱ１，Ｒ１の先端部をボルト被覆部３で被覆することができるので、コンセントボックスＰ内部の電線を、より確実に保護することができる。
【００２２】
このように、本発明によると、金属製線樋等の開口部に装着するコンセントボックスに、JIS規格のフラッシプレートを簡単に装着することが可能になり、しかも、内部の電線を傷付けずに済むなどといった有益な種々の効果を奏するものである。
【図面の簡単な説明】
【図１】本発明の一実施例を示す装着状態の分解斜視図。
【図２】本発明の一実施例を示す使用状態の断面図。
【図３】（イ）は、本発明の一実施例を示す斜視図、（ロ）は、装着使用状態を示す平面図。
【図４】（イ）は、本発明の他の実施例を示す斜視図、（ロ）は、装着使用状態を示す平面図。
【図５】（イ）は、本発明の他の実施例を示す斜視図、（ロ）は、装着使用状態を示す平面図。
【図６】従来のコンセントボックスの施蓋例を示す分解斜視図。
【符号の説明】
Ｐ  コンセントボックス Ｐ１ 開口縁
Ｐ２  爪
Ｑ  配線器具          Ｑ１  ボルト
Ｑ２  ねじ部
Ｒ  フラッシプレート  Ｒ１  ボルト
Ｓ  コンセントプレート
Ｔ  金属製線樋
１  スペーサー
２  間隔調整部
３  ボルト被覆部
４  挟着溝
５  挿通口
６  挿通口
【図１】
0003632130.tif 000002
【図２】
0003632130.tif 000003
【図３】
0003632130.tif 000004
【図４】
0003632130.tif 000005
【図５】
0003632130.tif 000006
【図６】
0003632130.tif 000007